(57)【要約】      （修正有）【課題】リモートコントローラを適用した無線通信による呼出応答を可能とし、さらには、通話成立時におけるハウリングの発生を防止する。【解決手段】居室親機の人感センサが動作しないような当該居室親機の設置場所から離れた場所に居る居住者がリモートコントローラ３の応答ボタン３０１を使用して応答操作を行うと、親機マイクからの音声の入力が無効、親機スピーカからの音声の出力が有効になるばかりでなく、親機スピーカから出力させる音声の増幅度は、当該居室親機の設置場所から離れた距離において聴取できる高い増幅度に設定される。【選択図】図１
2008182358.tif 000002
【特許請求の範囲】
【請求項１】
来訪者が居住者を呼び出して通話を成立させるための音声を入出力する子機マイク（１０２）及び子機スピーカ（１０３）を有する玄関子機（１）と、前記玄関子機からの呼び出しが報知され前記呼び出しに前記居住者が応答して前記来訪者との間で通話を成立させるための音声を入出力する親機マイク（２０２）及び親機スピーカ（２０１）を有する居室親機（２）と、前記居室親機との間で無線通信を行い前記玄関子機からの呼び出しに前記居住者が応答するための応答ボタン（３０１）を有するリモートコントローラ（３）とから構成され、
前記リモートコントローラには、前記居住者の音声を入力するための前記リモートコントローラマイク（３００）と、前記リモートコントローラマイクに入力された音声を信号処理するための音声処理回路（３０４）と、前記応答ボタンの操作を検出して応答信号を生成するとともに、前記音声処理回路を動作させるためのリモートコントローラＣＰＵ（３０７）と、前記リモートコントローラＣＰＵにて生成された応答信号を無線信号で前記居室親機に送信するための無線送信回路（３０６）とを備え、
前記居室親機には、前記リモートコントローラから無線通信で伝送されてくる応答信号を受信するための無線受信回路（２１１）と、前記親機マイク及び前記親機スピーカにて入出力される音声を信号処理するための親機通話回路（２０７）と、前記無線受信回路にて受信された応答信号を検出して前記親機通話回路を制御し、前記親機マイクからの音声の入力を無効、前記親機スピーカへの音声の出力を有効にするための親機ＣＰＵ（２１２）とを備えたことを特徴とするインターホン装置。
【請求項２】
前記居室親機の親機ＣＰＵは、前記無線受信回路にて受信された応答信号を検出して前記親機通話回路を制御し、前記親機スピーカから出力させる音声を当該居室親機の設置場所から離れた距離において聴取できる高い増幅度で増幅することを特徴とする請求項１記載のインターホン装置。
【請求項３】
前記居室親機には、当該居室親機の設置場所の周囲近傍に存在する人体を感知するための人感センサ（２０３）を備え、
前記居室親機の親機ＣＰＵは、前記人体を感知した前記人感センサからの人体感知信号を検出して前記親機通話回路を制御し、前記親機マイクからの音声の入力及び前記親機スピーカへの音声の出力をそれぞれ有効にすることを特徴とする請求項１又は請求項２記載のインターホン装置。
【請求項４】
前記居室親機の親機ＣＰＵは、前記人体を感知した前記人感センサからの人体感知信号を検出して前記親機通話回路を制御し、前記親機スピーカから出力させる音声を当該居室親機の設置場所から近い距離において聴取できる低い増幅度で増幅することを特徴とする請求項３記載のインターホン装置。
【請求項５】
前記居室親機は、前記玄関子機からの呼び出しに前記居住者が応答するための操作部（２０４）を備え、
前記居室親機の親機ＣＰＵは、前記無線受信回路にて受信された応答信号を検出した後、前記操作部の操作を検出すると、前記無線受信回路の受信動作を停止し、前記親機通話回路を制御して前記親機マイクからの音声の入力及び前記親機スピーカへの音声の出力をそれぞれ有効にすることを特徴とする請求項１乃至請求項４のうち何れか１項記載のインターホン装置。
【請求項６】
前記居室親機の親機ＣＰＵは、前記無線受信回路にて受信された応答信号を検出した後、前記操作部の操作を検出すると、前記親機スピーカから出力させる音声を当該居室親機の設置場所から近い距離において聴取できる低い増幅度で増幅することを特徴とする請求項５記載のインターホン装置。
【請求項７】
前記居室親機の親機ＣＰＵは、前記玄関子機からの呼び出しを検出したとき、前記無線受信回路の受信動作を開始させることを特徴とする請求項１乃至請求項６のうち何れか１項記載のインターホン装置。
【発明の詳細な説明】
【技術分野】
【０００１】
本発明はインターホン装置に係り、特に、居住者が携行可能で来訪者からの呼び出しに応答して通話を成立させることができるリモートコントローラを有するインターホン装置に関する。
【背景技術】
【０００２】
従来から、来訪者からの呼び出しに居住者が応答して通話を成立させることができる機器を備えたインターホン装置として、有線接続されたカメラ付きドアホン子器及びモニタ付きインターホン親機と、当該モニタ付きインターホン親機に無線接続されたモニタ付きインターホン副親機とを有するモニタ付きワイヤレス通話システムが開示されている（例えば、特許文献１を参照。）。
【０００３】
このモニタ付ワイヤレス通話システムにおいて、カメラ付きドアホン子器から呼び出しがあると、モニタ付きインターホン親機及びモニタ付きインターホン副親機にてそれぞれ呼出報知が行われるとともに、カメラ付きドアホン子器にて撮像された映像がモニタ付きインターホン親機及びモニタ付きインターホン副親機にてそれぞれ出画される。また、モニタ付きインターホン親機にて応答操作が行われると、このモニタ付きインターホン親機とカメラ付きドアホン子器との間で通話が成立する。さらに、モニタ付きインターホン副親機にて応答操作が行われると、このモニタ付きインターホン副親機とモニタ付きインターホン親機を経由してカメラ付きドアホン子器との間で通話が成立する。
【０００４】
【特許文献１】特開２０００−２２４３１６号公報（段落番号「００１５」乃至「００１９」、第１図）
【発明の開示】
【発明が解決しようとする課題】
【０００５】
しかしながら、背景技術に記載した特許文献１のモニタ付きワイヤレス通話システムにおいて、カメラ付きドアホン子器にて撮像された映像を出画し、モニタ付きインターホン親機を経由してカメラ付きドアホン子器との間で通話を成立させることができるモニタ付きインターホン副親機の構成は、通常、モニタ付きインターホン親機と同様な構成であるため、高価なシステム構成であった。
【０００６】
また、モニタ付きインターホン副親機にて通話を成立させるにあたり、その通話手段は、マイク及びスピーカを使用した交互通話によるハンズフリー通話が適用されているものの、スピーカからマイクへの音声帰還に伴い発生するハウリングを防止するための有効な手段が何ら備えられていなかった。
【０００７】
本発明は、この難点を解消するためになされたもので、来訪者からの呼び出しに応答して通話を成立させることができる機器として居住者が携行可能なリモートコントローラを適用することにより、無線通信による呼出応答を可能とし、さらには、通話成立時におけるハウリングの発生を防止した安価なシステム構成のインターホン装置を提供することを目的としている。
【課題を解決するための手段】
【０００８】
前述の目的を達成するため、本発明の第１の態様であるインターホン装置は、来訪者が居住者を呼び出して通話を成立させるための音声を入出力する子機マイク及び子機スピーカを有する玄関子機と、玄関子機からの呼び出しが報知され呼び出しに居住者が応答して来訪者との間で通話を成立させるための音声を入出力する親機マイク及び親機スピーカを有する居室親機と、居室親機との間で無線通信を行い玄関子機からの呼び出しに居住者が応答するための応答ボタンを有するリモートコントローラとから構成されている。リモートコントローラには、居住者の音声を入力するためのリモートコントローラマイクと、リモートコントローラマイクに入力された音声を信号処理するための音声処理回路と、応答ボタンの操作を検出して応答信号を生成するとともに、音声処理回路を動作させるためのリモートコントローラＣＰＵと、リモートコントローラＣＰＵにて生成された応答信号を無線信号で居室親機に送信するための無線送信回路とを備えている。居室親機には、リモートコントローラから無線通信で伝送されてくる応答信号を受信するための無線受信回路と、親機マイク及び親機スピーカにて入出力される音声を信号処理するための親機通話回路と、無線受信回路にて受信された応答信号を検出して親機通話回路を制御し、親機マイクからの音声の入力を無効、親機スピーカへの音声の出力を有効にするための親機ＣＰＵとを備えている。
【０００９】
また、本発明の第２の態様であるインターホン装置は、本発明の第１の態様において、居室親機の親機ＣＰＵは、無線受信回路にて受信された応答信号を検出して親機通話回路を制御し、親機スピーカから出力させる音声を当該居室親機の設置場所から離れた距離において聴取できる高い増幅度で増幅するものである。
【００１０】
また、本発明の第３の態様であるインターホン装置は、本発明の第１の態様又は第２の態様において、居室親機には、当該居室親機の設置場所の周囲近傍に存在する人体を感知するための人感センサを備えている。居室親機の親機ＣＰＵは、人体を感知した人感センサからの人体感知信号を検出して親機通話回路を制御し、親機マイクからの音声の入力及び親機スピーカへの音声の出力をそれぞれ有効にするものである。
【００１１】
また、本発明の第４の態様であるインターホン装置は、本発明の第３の態様において、居室親機の親機ＣＰＵは、人体を感知した人感センサからの人体感知信号を検出して親機通話回路を制御し、親機スピーカから出力させる音声を当該居室親機の設置場所から近い距離において聴取できる低い増幅度で増幅するものである。
【００１２】
また、本発明の第５の態様であるインターホン装置は、本発明の第１の態様乃至第４の態様において、居室親機は、玄関子機からの呼び出しに居住者が応答するための操作部を備えている。居室親機の親機ＣＰＵは、無線受信回路にて受信された応答信号を検出した後、操作部の操作を検出すると、無線受信回路の受信動作を停止し、親機通話回路を制御して親機マイクからの音声の入力及び親機スピーカへの音声の出力をそれぞれ有効にするものである。
【００１３】
また、本発明の第６の態様であるインターホン装置は、本発明の第５の態様において、居室親機の親機ＣＰＵは、無線受信回路にて受信された応答信号を検出した後、操作部の操作を検出すると、親機スピーカから出力させる音声を当該居室親機の設置場所から近い距離において聴取できる低い増幅度で増幅するものである。
【００１４】
また、本発明の第７の態様であるインターホン装置は、本発明の第１の態様乃至第６の態様において、居室親機の親機ＣＰＵは、玄関子機からの呼び出しを検出したとき、無線受信回路の受信動作を開始させるものである。
【発明の効果】
【００１５】
本発明のインターホン装置によれば、居室親機の人感センサが動作するような居室親機の設置場所の周囲近傍に存在する居住者が当該居室親機の操作部を使用して応答操作を行うと、これを検出した親機ＣＰＵの制御により親機マイクからの音声の入力及び親機スピーカからの音声の出力がそれぞれ有効になるばかりでなく、親機スピーカから出力させる音声の増幅度を、当該居室親機の設置場所から近い距離において聴取できる低い増幅度に設定することができる。これにより、来訪者の音声は、居室親機の設置場所の周囲近傍に存在する居住者が聴取できる十分な音圧レベルで親機スピーカから出力させることができるばかりでなく、親機スピーカから親機マイクへの音響帰還の影響を受けずにハウリングの発生が防止される。
【００１６】
また、本発明のインターホン装置によれば、居室親機の人感センサが動作しないような当該居室親機の設置場所から離れた場所に居る居住者がリモートコントローラの応答ボタンを使用して応答操作を行うと、これを検出した親機ＣＰＵの制御により親機マイクからの音声の入力が無効、親機スピーカからの音声の出力が有効になるばかりでなく、親機スピーカから出力させる音声の増幅度を、当該居室親機の設置場所から離れた距離において聴取できる高い増幅度に設定することができる。これにより、来訪者の音声は、居室親機の設置場所から離れた場所に存在するリモートコントローラを携行した居住者が聴取できる十分な音圧レベルで親機スピーカから出力させることができるばかりでなく、親機スピーカからリモートコントローラのリモートコントローラマイクへの音響帰還の影響を受けずにハウリングの発生が防止される。
【００１７】
また、本発明のインターホン装置によれば、居室親機の人感センサが動作しないような当該居室親機の設置場所から離れた場所に居る居住者がリモートコントローラの応答ボタンを使用して応答操作を行った後、この居住者が人感センサを動作させる、或いは、操作部を使用して操作を行うと、これを検出した親機ＣＰＵの制御により親機マイクからの音声の入力及び親機スピーカからの音声の出力がそれぞれ有効になるばかりでなく、親機スピーカから出力させる音声の増幅度を、当該居室親機の設置場所から離れた距離において聴取できる高い増幅度から当該居室親機から近い距離において聴取できる低い増幅度に設定することができる。これにより、来訪者の音声は、居室親機の設置場所の周囲近傍に存在するリモートコントローラを携行した居住者が聴取できる十分な音圧レベルで親機スピーカから出力させることができるばかりでなく、親機スピーカから親機マイクへの音響帰還の影響を受けずにハウリングの発生が防止される。
【００１８】
さらに、本発明のインターホン装置によれば、玄関子機からの呼び出しがあることを検出した居室親機の親機ＣＰＵの制御により、リモートコントローラから無線通信で伝送されてくる信号を受信する無線受信回路の受信動作が開始されるため、リモートコントローラの応答ボタンが誤って操作された場合の誤動作の発生を防止できる。
【発明を実施するための最良の形態】
【００１９】
以下、本発明のインターホン装置を適用した最良の実施の形態例について、図面を参照して説明する。なお、図１は、本発明の実施例によるインターホン装置の全体構成を示すシステム説明図であり、図２は、当該インターホン装置の具体的な構成を示すブロック図である。
【００２０】
図１及び図２に示すインターホン装置は、玄関に設置される玄関子機１と、住戸内に設置され伝送路Ｌを経由して玄関子機１に接続された居室親機２と、住戸内に設置され居室親機２との間で無線通話を行うことができるリモートコントローラ３とから構成されている。
【００２１】
図１に示す玄関子機１には、玄関に居る来訪者が、住戸内に在室中の居住者を呼び出すための呼出操作を行う呼出ボタン１００と、来訪者の映像（玄関の周囲近傍の映像を含む。）を撮像するための例えば、ＣＣＤ、ＣＭＯＳ等の撮像素子から構成されるカメラ１０１と、来訪者が居住者との間で通話を成立させるための音声（送話音声、受話音声）を入出力する子機マイク１０２及び子機スピーカ１０３とが備えられている。
【００２２】
また、玄関子機１には、図２に示すように、前述の呼出ボタン１００、カメラ１０１、子機マイク１０２及び子機スピーカ１０３と、子機映像処理回路１０４と、子機通話回路１０５と、子機電源回路１０６と、子機インターフェース（以下、子機Ｉ／Ｆという。）１０７とが備えられている。
【００２３】
図２に示す玄関子機１において、子機映像処理回路１０４は、カメラ１０１にて撮像された映像の電気信号である映像信号について信号処理を行う、例えば、ＦＭ変調等するためのものである。また、子機通話回路１０５は、子機マイク１０２及び子機スピーカ１０３にて入出力される音声（送話音声、受話音声）の電気信号である音声信号について信号処理を行う、例えば、４線／２線変換、２線／４線変換、増幅等するためのものである。また、子機電源回路１０６は、居室親機２から伝送路Ｌを経由して供給されてくる直流電源を受電し、待受電源又は動作電源として当該玄関子機の構成各部／回路にそれぞれ供給するためのものである。さらに、子機Ｉ／Ｆ１０７は、呼出ボタン１００の操作を検出して伝送路Ｌに予め重畳されている待受電源の電圧レベルを降圧するとともに、子機映像処理回路１０４から伝送路Ｌへの信号ライン、子機通話回路１０５及び伝送路Ｌの間の信号ライン（通話ライン）、伝送路Ｌから子機電源回路１０６への電源ラインをそれぞれ形成するためのものである。
【００２４】
図１に示す居室親機２には、玄関子機１のカメラ１０１にて撮像された映像を出画するための例えば、ＬＣＤ、ＰＤＰ、有機ＥＬディスプレイ等の表示媒体から構成されるモニタ２００と、来訪者からの呼び出しを報知するための呼出音や音声メッセージ等を放音するとともに、居住者が来訪者との間で通話を成立させるにあたり当該来訪者の音声（受話音声）を出力するための親機スピーカ２０１と、居住者が来訪者との間で通話を成立させるための音声（送話音声）を入力する親機マイク２０２と、当該居室親機の設置場所の周囲近傍に存在する人体、すなわち、居住者を感知するための人感（人体感知）センサ２０３と、来訪者から呼び出しに居住者が応答するための応答操作や成立されている通話を終了させるための終話操作等が行われる例えば、応答ボタン、モニタ２００の前面に配置されたタッチパネル等で構成される操作部２０４と、リモートコントローラ３から無線通信で伝送されてくる信号を受信するための親機アンテナ２０５とが備えられている。
【００２５】
また、居室親機２には、図２に示すように、前述のモニタ２００、親機スピーカ２０１、親機マイク２０２、人感センサ２０３、操作部２０４及び親機アンテナ２０５と、親機映像処理回路２０６と、親機通話回路２０７と、親機電源回路２０８と、子機用電源供給回路２０９と、親機インターフェース（以下、親機Ｉ／Ｆという。）２１０と、無線受信回路２１１と、親機ＣＰＵ２１２とが備えられている。
【００２６】
図２に示す居室親機２において、親機映像処理回路２０６は、親機ＣＰＵ２１２により制御され、玄関子機１から伝送路Ｌを経由して伝送されてくる映像信号について信号処理を行い、例えば、ＦＭ復調等して、当該玄関子機のカメラ１０１にて撮像された映像をモニタ２００に出画させるためのものである。また、親機通話回路２０７は、親機ＣＰＵ２１２により制御され、親機マイク２０２及び親機スピーカ２０１にて入出力される音声（送話音声、受話音声）の電気信号である音声信号について信号処理を行う、例えば、４線／２線変換、２線／４線変換、増幅等するためのものである。また、親機電源回路２０８は、親機ＣＰＵ２１２により制御され、当該親機電源回路に接続された商用電源について整流／平滑させた直流電源を待受電源又は動作電源として、当該居室親機の構成各部／回路にそれぞれ供給するためのものである。また、子機用電源供給回路２０９は、親機ＣＰＵ２１２により制御され、親機電源回路２０８にて整流／平滑された直流電源を玄関子機１の待受電源又は動作電源として、親機Ｉ／Ｆ２１０に供給するためのものである。また、親機Ｉ／Ｆ２１１は、伝送路Ｌから親機映像処理回路２０６への信号ライン、親機通話回路２０７及び伝送路Ｌの間の信号ライン（通話ライン）、子機用電源供給回路２０９から伝送路Ｌへの電源ライン、親機ＣＰＵ２１２及び伝送路Ｌの間の信号ラインをそれぞれ形成するためのものである。また、無線受信回路２１１は、親機アンテナ２０５とともに一体的に形成されており、親機ＣＰＵ２１２により制御され、当該親機アンテナにて受信された無線信号を電気信号に変換して親機ＣＰＵ２１２に送出するためのものである。さらに、親機ＣＰＵ２１２は、当該居室親機の構成各部／回路をそれぞれ、前述のように制御するためのものであり、計時機能が備えられている。なお、親機ＣＰＵ２１２に備えられている計時機能は、タイマ回路（図示せず。）として別途に当該居室親機に設けることもできる。
【００２７】
図１に示すリモートコントローラ３には、居住者が来訪者との間で通話を成立させための音声（送話音声）を入力するリモートコントローラマイク（以下、リモコンマイクという。）３００と、来訪者からの呼び出しに居住者が応答するための応答操作や成立されている通話を終了させるための終話操作が行われる応答ボタン３０１と、居室親機２の親機スピーカ２０１から出力される来訪者の音声（受話音声）の増幅度を調整するための調整操作が行われるボリリューム調整ボタン３０２と、居室親機２に無線通信で伝送させる信号を送信するためのリモートコントローラアンテナ（以下、リモコンアンテナという。）３０３とが備えられている。
【００２８】
また、リモートコントロール３には、図２に示すように、前述のリモコンマイク３００、応答ボタン３０１、ボリリューム調整ボタン３０２及びリモコンアンテナ３０３と、音声処理回路３０４と、リモートコントローラ電源回路（以下、リモコン電源回路という。）３０５と、無線送信回路３０６と、リモートコントローラＣＰＵ（以下、リモコンＣＰＵという。）３０７とが備えられている。
【００２９】
図２に示すリモートコントローラ３において、音声処理回路３０４は、リモコンＣＰＵ３０７により制御され、リモコンマイク３００にて入力される音声（送話音声）の電気信号である音声信号について信号処理を行う、例えば、変調、増幅等するためのものである。また、リモコン電源回路３０５は、リモコンＣＰＵ３０７により制御され、当該リモートコントローラに内蔵された例えば、二次電池等に予め蓄電されている直流電源を待受電源又は動作電源として、当該リモートコントローラの構成各部／回路にそれぞれ供給するためのものである。また、無線送信回路３０６は、リモコンアンテナ３０３とともに一体的に形成されており、リモコンＣＰＵ３０７により制御され、リモコンＣＰＵ３０７にて生成される電気信号及び音声処理回路３０４を経由して信号処理された音声信号をリモコンアンテナ３０３から送信させる無線信号に変換するためのものである。さらに、リモコンＣＰＵ３０７は、当該リモートコントローラの構成各部／回路をそれぞれ、前述のように制御するためのものであり、計時機能が備えられている。なお、リモコンＣＰＵ３０７に備えられている計時機能は、タイマ回路（図示せず。）として別途に当該リモートコントローラに設けることもできる。
【００３０】
このように構成された本発明の実施例によるインターホン装置において、以下、具体的な動作について説明する。
【００３１】
図１及び図２に示すインターホン装置が待受状態であるとき、居室親機２の親機電源回路２０８は、親機ＣＰＵ２１２の制御により直流電源を整流／平滑させた所定の電圧レベルの待受電源を生成し、この待受電源を当該居室親機の構成各部／回路にそれぞれ供給している。また、居室親機２の子機用電源供給回路２０９は、親機電源回路２０８にて生成された待受電源を、親機Ｉ／Ｆ２１０、伝送路Ｌ、玄関子機１の子機Ｉ／Ｆ１０７を経由して子機電源回路１０６に供給する。
【００３２】
また、玄関子機１の子機電源回路１０６は、居室親機２の子機用電源供給回路２０９からの待受電源を受電し、この待受電源を当該玄関子機の構成各部／回路にそれぞれ供給している。
【００３３】
さらに、同様な待受状態であるとき、リモートコントローラ３のリモコン電源回路３０５は、リモコンＣＰＵ３０７の制御により予め蓄電されている直流電源を所定の電圧レベルの待受電源に処理し、この待受電源を当該リモートコントローラの構成各部／回路にそれぞれ供給している。
【００３４】
次に、前述のような待受状態であるとき、玄関に居る来訪者が住戸内に在室中の居住者を呼び出すために玄関子機１の呼出ボタン１００を使用して呼出操作を行うと、伝送路Ｌに予め重畳されている待受電源の電圧レベルが降下する。この電圧降下を検出した居室親機２の親機ＣＰＵ２１２は、親機電源回路２０８を制御して、前述の待受電源よりも高い電圧レベルである呼出報知及び映像出画用の動作電源を生成して当該居室親機の該当各部／回路にそれぞれ供給させるとともに、前述の待受電源と同様な電源ラインを経由して、子機用電源供給回路２０９から玄関子機１の子機電源回路１０６に映像撮像用の動作電源を供給させる。
【００３５】
また、居室親機２の親機ＣＰＵ２１２は、前述の電圧降下を検出すると、親機スピーカ２０１から呼出音や音声メッセージ等を放音させて、来訪者からの呼び出しがある旨の呼出報知を行うとともに、モニタ２００、親機映像処理回路２０６及び無線受信回路２１１の動作がそれぞれ開始されるように制御する。
【００３６】
さらに、玄関子機１の子機電源回路１０６は、居室親機２の子機用電源供給回路２０９からの映像撮像用の動作電源を受電し、この動作電源を当該玄関子機の該当各部／回路にそれぞれ供給することにより、動作が開始されたカメラ１０１及び子機映像処理回路１０４のうち当該カメラは、来訪者の映像（玄関の周囲近傍の映像を含む。）の撮像を開始する。また、カメラ１０１にて撮像された映像の電気信号である映像信号は、子機映像処理回路１０４を経由して例えば、ＦＭ変調等された後、子機Ｉ／Ｆ１０７、伝送路Ｌ、居室親機２の親機Ｉ／Ｆ２１０を経由して親機映像処理回路２０６に伝送される。
【００３７】
居室親機２の親機映像処理回路２０６は、玄関子機１からの映像信号を例えば、ＦＭ復調等してモニタ２００に送出することにより、カメラ１０１にて撮像された映像、すなわち、来訪者の映像（玄関の周囲近傍の映像を含む。）をモニタ２００に出画させることができる。なお、親機ＣＰＵ２１２は、来訪者の映像（玄関の周囲近傍の映像を含む。）をモニタ２００に出画させるのと同時に、呼出報知として、来訪者からの呼び出しがある旨の文字メッセージや絵データ等をモニタ２００に表示させることもできる。
【００３８】
次に、前述の呼出報知が行われたとき、住戸内に在室中の居住者が行う応答操作及び通話の動作について説明する。最初に、第１の応答／通話動作として、居住者が居室親機２の設置場所の周囲近傍に居り、この居住者がモニタ２００に出画されている映像をもとに来訪者を判別した後、操作部２０４を使用して応答操作を行うと、当該応答操作を検出した親機ＣＰＵ２１２は、所定の通話時間の計時を開始するとともに、親機電源回路２０８を制御して、前述の呼出報知及び映像出画用の動作電源よりも高い電圧レベルの映像出画及び通話用の動作電源を生成して当該居室親機の該当各部／回路にそれぞれ供給させ、さらには、前述の待受電源等と同様な電源ラインを経由して、子機用電源供給回路２０９から玄関子機１の子機電源回路１０６に映像撮像及び通話用の動作電源を供給させる。
【００３９】
また、居室親機２の親機ＣＰＵ２１２は、前述の応答操作を検出すると、無線受信回路２１１への動作制御を保持しつつ親機通話回路２０７を制御して、居住者が使用する親機マイク２０２及び親機スピーカ２０１と親機Ｉ／Ｆ２１０との間の信号ライン（通話ライン）を形成することにより、親機マイク２０２からの音声（送話音声）の入力及び親機スピーカ２０１からの音声（受話音声）の出力がそれぞれ有効になるばかりでなく、この親機ＣＰＵ２１２は、親機スピーカ２０１から出力させる音声（受話音声）の増幅度を、当該居室親機の設置場所から近い距離において聴取できる低い増幅度に設定する。なお、前述の人体感知信号及び応答操作をそれぞれ検出した親機ＣＰＵ２１２は、モニタ２００及び親機映像処理回路２０６への動作制御もそれぞれ保持しているため、モニタ２００への映像の出画は呼出時から継続されている。
【００４０】
さらに、玄関子機１の子機電源回路１０６は、居室親機２の子機用電源供給回路２０９からの映像撮像及び通話用の動作電源を受電し、この動作電源を当該玄関子機の該当各部／回路にそれぞれ供給することにより、子機通話回路１０５の動作が開始して来訪者が使用する子機マイク１０２及び子機スピーカ１０３と子機Ｉ／Ｆ１０７との間の信号ライン（通話ライン）が形成され、子機マイク１０２からの音声（送話音声）の入力及び子機スピーカ１０３からの音声（受話音声）の出力がそれぞれ有効になる。
【００４１】
ここで、来訪者が玄関子機１の子機マイク１０２に入力した音声（送話音声）の電気信号である音声信号（以下、来訪者音声信号という。）は、子機通話回路１０５、子機Ｉ／Ｆ１０７、伝送路Ｌ、居室親機２の親機Ｉ／Ｆ２１０を経由して親機通話回路２０７に伝送され、親機通話回路２０７の制御により低い増幅度で増幅された後、親機スピーカ２０１に送出される。これにより、来訪者の音声（受話音声）は、居室親機２の設置場所の周囲近傍に存在する居住者が聴取できる十分な音圧レベルで親機スピーカ２０１から出力させることができるばかりでなく、親機スピーカ２０１から親機マイク２０２への音響帰還の影響を受けずにハウリングの発生が防止される。
【００４２】
一方、居住者が居室親機２の親機マイク２０２に入力した音声（送話音声）の電気信号である音声信号（以下、第１の居住者音声信号という。）は、親機通話回路２０７、親機Ｉ／Ｆ２１０、伝送路Ｌ、玄関子機１の子機Ｉ／Ｆ１０７、子機通話回路１０５を経由して子機スピーカ１０３に伝送され、居住者の音声（受話音声）として子機スピーカ１０３から出力させることができ、ここまでの動作により、玄関に居る来訪者と居室親機２の設置場所の周囲近傍に存在する居住者との間で通話が成立する。
【００４３】
また、前述の第１の応答／通話動作における通話を終了させるために、居室親機２の設置場所の周囲近傍に存在する居住者が操作部２０４を使用して終話操作を行うと、前述の人体感知信号及び終話操作をそれぞれ検出した親機ＣＰＵ２１２は、モニタ２００、親機映像処理回路２０６、親機通話回路２０７及び無線受信回路２１１への動作制御をそれぞれ停止して待受状態に復旧するとともに、親機電源回路２０８及び子機用電源供給回路２０９をそれぞれ制御して待受電源を生成させる。
【００４４】
なお、前述の第１の応答／通話動作における通話を終了させるにあたっては、居室親機２の操作部２０４を使用した終話操作に限定されるものではなく、親機ＣＰＵ２１２にて計時中の通話時間がタイムアップとなった時点で通話を終了させて待受状態に復旧することもできる。
【００４５】
次に、前述の呼出報知が行われたとき、住戸内に在室中の居住者が行う応答操作及び通話の第２の応答／通話動作として、居住者が居室親機２の設置場所の周囲近傍ではなく当該設置場所から離れた場所に存在し、この居住者が（モニタ２００に出画されている来訪者を離れた場所から判別した後）、リモートコントローラ３の応答ボタン３０１を使用して応答操作を行うと、この応答操作を検出したリモコンＣＰＵ３０７は、所定の通話時間、例えば、居室親機２の親機ＣＰＵ２１２にて計時される通話時間と同一の時間の計時を開始するとともに、リモコン電源回路３０５を制御して、前述の待受電源よりも高い電圧レベルの通話用の動作電源を生成して当該リモートコントローラの該当各部／回路にそれぞれ供給させる。また、リモコンＣＰＵ３０７は、音声処理回路３０４を制御して、居住者が使用するリモコンマイク３００から当該音声処理回路を経由して無線送信回路３０６への信号ライン（通話ライン）を形成するとともに、応答信号を生成して無線送信回路３０６に送出する。
【００４６】
リモートコントローラ３の無線送信回路３０６は、リモコンＣＰＵ３０７からの応答信号を無線信号に変換し、リモコンアンテナ３０３から居室親機２の親機アンテナ２０５に無線通信で送信する。
【００４７】
居室親機２の無線受信回路２１１は、親機アンテナ２０５にて受信されたリモートコントローラ３からの無線信号を電気信号である応答信号に変換して親機ＣＰＵ２１２に送出する。また、親機ＣＰＵ２１２は、前述の応答信号を検出する一方、居住者が当該居室親機の設置場所の周囲近傍に存在せず人感センサ２０３にて人体感知信号が生成されていないことを検出し、所定の通話時間を開始するとともに、親機電源回路２０８を制御して、前述の呼出報知及び映像出画用の動作電源よりも高い電圧レベルの映像出画及び通話用の動作電源を生成して当該居室親機の構成各部／回路にそれぞれ供給させ、さらには、前述の待受電源等と同様な電源ラインを経由して、子機用電源供給回路２０９から玄関子機１の子機電源回路１０６に映像撮像及び通話用の動作電源を供給させる。
【００４８】
また、居室親機２の親機ＣＰＵ２１２は、前述の応答信号を検出すると、無線受信回路２１１への動作制御を保持しつつ親機通話回路２０７を制御して、無線受信回路２１１から当該親機ＣＰＵ及び親機通話回路を経由して親機Ｉ／Ｆ２１０への信号ライン（通話ライン）と、親機Ｉ／Ｆ２１０から当該親機通話回路を経由して居住者が使用する親機スピーカ２０１への間の信号ライン（通話ライン）とをそれぞれ形成することにより、親機マイク２０２からの音声（送話音声）の入力が無効、親機スピーカ２０１からの音声（受話音声）の出力が有効となるばかりでなく、この親機ＣＰＵ２１２は、親機スピーカ２０１から出力させる音声（受話音声）の増幅度を、居室親機２の設置場所から離れた距離において聴取できる高い増幅度に設定する。なお、前述の応答信号を検出した親機ＣＰＵ２１２は、モニタ２００及び親機映像処理回路２０６への動作制御もそれぞれ保持しているため、モニタ２００への映像の出画は呼出時から継続されている。
【００４９】
さらに、玄関子機１の子機電源回路１０６は、居室親機２の子機用電源供給回路２０９からの映像撮像及び通話用の動作電源を受電し、この動作電源を当該玄関子機の該当各部／回路にそれぞれ供給することにより、子機通話回路１０５の動作が開始して来訪者が使用する子機マイク１０２及び子機スピーカ１０３と子機Ｉ／Ｆ１０７との間の信号ライン（通話ライン）が形成され、子機マイク１０２からの音声（送話音声）の入力及び子機スピーカ１０３からの音声（受話音声）の出力がそれぞれ有効になる。
【００５０】
ここで、来訪者が玄関子機１の子機マイク１０２に入力した音声（送話音声）の電気信号である来訪者音声信号は、子機通話回路１０５、子機Ｉ／Ｆ１０７、伝送路Ｌ、居室親機２の親機Ｉ／Ｆ２１０を経由して親機通話回路２０７に伝送され、親機通話回路２０７の制御により高い増幅度で増幅された後、親機スピーカ２０１に送出される。これにより、来訪者の音声（受話音声）は、当該居室親機の設置場所から離れた場所に存在する居住者が聴取できる十分な音圧レベルで親機スピーカ２０１から出力させることができるばかりでなく、親機スピーカ２０１からリモートコントローラ３のリモコンマイク３００への距離が離間されているために音響帰還の影響を受けず、ハウリングの発生が防止される。
【００５１】
一方、居住者がリモートコントローラ３のリモコンマイク３００に入力した音声（送話音声）である電気信号の音声信号（以下、第２の居住者音声信号という。）は、音声処理回路３０４を経由して無線送信回路３０６に伝送される。この無線送信回路３０６は、音声処理回路３０４からの第２の居住者音声信号を無線信号に変換し、リモコンアンテナ３０３から居室親機２の親機アンテナ２０５に無線通信で送信する。
【００５２】
居室親機２の無線受信回路２１１は、親機アンテナ２０５にて受信されたリモートコントローラ３からの無線信号を電気信号である第２の居住者音声信号に変換して親機ＣＰＵ２１２に送出する。この第２の居住者音声信号は、前述の第１の居住者音声信号と同一の信号ラインを経由して玄関子機１の子機スピーカ１０３に伝送され、居住者の音声（受話音声）として子機スピーカ１０３から出力させることができる。ここまでの動作により、玄関に居る来訪者と居室親機２の設置場所から離れた場所に存在するリモートコントローラ３を携行した居住者との間で通話が成立する。
【００５３】
また、前述の第２の応答／通話動作における通話を終了させるために、居室親機２の設置場所から離れた場所に存在する居住者がリモートコントローラ３の応答ボタン３０１を使用して終話操作を行うと、この終話操作を検出したリモコンＣＰＵ３０７は、終話信号を生成し、前述の応答信号と同一の信号ラインを経由して居室親機２の親機ＣＰＵ２１２に送出するとともに、音声処理回路３０４への動作制御を停止して待受状態に復旧させ、さらには、リモコン電源回路３０５を制御して待受電源を生成させる。
【００５４】
居室親機２の親機ＣＰＵ２１２は、リモートコントローラ３からの終話信号を検出すると、モニタ２００、親機映像処理回路２０６、親機通話回路２０７及び無線受信回路２１１への動作制御をそれぞれ停止して待受状態に復旧するとともに、親機電源回路２０８及び子機用電源供給回路２０９をそれぞれ制御して待受電源を生成させる。
【００５５】
なお、前述の第２の応答／通話動作における通話を終了させるにあたっては、リモートコントローラ３の応答ボタン３０１を使用した終話操作に限定されるものではなく、リモコンＣＰＵ３０７及び居室親機２の親機ＣＰＵ２１２にてそれぞれ計時中の通話時間がタイムアップとなった時点で通話を終了させることもできる。
【００５６】
次に、前述の第２の応答／通話動作における通話が成立されているとき、例えば、リモートコントローラ３を携行した居住者にとって居室親機２の親機スピーカ２０１から出力されている来訪者の音声（受話音声）が聞き取り難い場合や、居室親機２のモニタ２００に出画されている来訪者の映像を詳細に確認しながら通話を成立させるために、当該居室親機の設置場所に近づいた場合、或いは、当該居室親機の設置場所に近づいた後に操作部２０４にて応答操作を行うと、居住者の存在を感知した人感センサ２０３からの人体感知信号を検出した親機ＣＰＵ２１２、或いは、前述の人体感知信号及び応答操作をそれぞれ検出した親機ＣＰＵ２１２は、無線受信回路２１１の動作を停止させるとともに、前述の第１の応答／通話動作と同様に親機通話回路２０７を制御して、居住者が使用する親機マイク２０２及び親機スピーカ２０１と親機Ｉ／Ｆ２１０との間の信号ライン（通話ライン）を形成することにより、親機マイク２０２からの音声（送話音声）の入力及び親機スピーカ２０１からの音声（受話音声）の出力がそれぞれ有効となるばかりでなく、この親機ＣＰＵ２１２は、親機スピーカ２０１から出力させる音声（受話音声）の増幅度を、前述の高い増幅度から低い増幅度に切り替えて設定する。なお、前述の人体感知信号のみ、或いは、人体感知信号及び応答操作をそれぞれ検出した親機ＣＰＵ２１２は、モニタ２００及び親機映像処理回路２０６への動作制御もそれぞれ保持しているため、モニタ２００への映像の出画は呼出時から継続されている。
【００５７】
前述までの動作制御により、居住者がリモートコントローラ３のリモコンマイク３００に音声（送話音声）を入力した場合であっても、この音声、すなわち、前述の第２の居住者音声信号が居室親機２の親機通話回路２０７に伝送されることはなく、居住者により居室親機２の親機マイク２０２に入力された音声（送話音声）の電気信号である第１の居住者音声信号が親機通話回路２０７、親機Ｉ／Ｆ２１０、伝送路Ｌ、玄関子機１の子機Ｉ／Ｆ１０７、子機通話回路１０５を経由して子機スピーカ１０３に伝送され、居住者の音声（受話音声）として子機スピーカ１０３から出力させることができる。
【００５８】
一方、来訪者が玄関子機１の子機マイク１０２に入力した音声（送話音声）の電気信号である来訪者音声信号は、前述の第１の応答／通話動作と同様、親機通話回路２０７の制御により低い増幅度で増幅された後、親機スピーカ２０１に送出される。これにより、来訪者の音声（受話音声）は、居室親機２の設置場所の周囲近傍に存在するリモートコントローラ３を携行した居住者が聴取できる十分な音圧レベルで親機スピーカ２０１から出力させることができるばかりでなく、親機スピーカ２０１から親機マイク２０２への音響帰還の影響を受けずにハウリングの発生が防止される。
【００５９】
また、前述の通話を終了させるにあたっては、前述の第１の応答／通話動作における通話の終了の該当動作と同様、居室親機２の設置場所の周囲近傍に存在する居住者が操作部２０４を使用して終話操作を行う、或いは、親機ＣＰＵ２１２にて計時中の通話時間がタイムアップとなった時点で通話を終了させることができる。
【００６０】
本発明のインターホン装置においては、前述までの説明から明らかなように、居室親機２の無線受信回路２０２は、玄関子機１からの呼び出しがあることを検出した親機ＣＰＵ２１２により動作制御されて受信動作が開始するため、リモートコントローラ３の応答ボタン３０１が誤って操作された場合であっても前述の応答信号が親機ＣＰＵ２１２にて検出されることはなく誤動作の発生を防止できる。
【００６１】
また、本発明のインターホン装置においては、前述の第２の応答／通話動作の説明から明らかなように、居住者が居室親機２の設置場所の周囲近傍ではなく当該居室親機から離れた場所に存在し、リモートコントローラ３の応答ボタン３０１を使用して応答操作を行った場合において、親機ＣＰＵ２１２の制御により親機マイク２０２からの音声（送話音声）の入力を無効、親機スピーカ２０１からの音声（受話音声）の出力を有効とし、さらには、親機スピーカ２０１から出力させる音声（受話音声）の増幅度を、居室親機２の設置場所から離れた距離において聴取できる高い増幅度に設定したが、この態様に限定されるものではない。例えば、リモートコントローラ３のボリューム調整ボタン３０２を居住者が操作することにより、当該リモートコントローラからのボリューム調整信号を無線通信で居室親機２に伝送させ、親機スピーカ２０１から出力させる音声（受話音声）の増幅度を、所望の増幅度に設定することもできる。
【００６２】
さらに、本発明のインターホン装置においては、特定の実施の形態をもって説明してきたが、この形態に限定されるものでなく、本発明の効果を奏する限り、これまで知られた如何なる構成のインターホンホン装置であっても採用できるということはいうまでもないことである。
【図面の簡単な説明】
【００６３】
【図１】図１は、本発明の実施例によるインターホン装置の全体構成を示すシステム説明図である。
【図２】図２は、本発明の実施例によるインターホン装置の具体的な構成を示すブロック図である。
【符号の説明】
【００６４】
１……玄関子機
１０２……子機マイク
１０３……子機スピーカ
２……居室親機
２０１……親機スピーカ
２０２……親機マイク
２０３……人感センサ
２０４……操作部
２０７……親機通話回路
２１１……無線受信回路
２１２……親機ＣＰＵ
３……リモートコントローラ
３００……リモートコントローラマイク（リモコンマイク）
３０１……応答ボタン
３０４……音声処理回路
３０６……無線送信回路
３０７……リモートコントローラＣＰＵ（リモコンＣＰＵ）
【図１】
2008182358.tif 000003
【図２】
2008182358.tif 000004